(57)【要約】【課題】複数の送受部位での搬送対象の相互搬送を簡単かつ確実にデータ管理できる搬送管理システムを提供する。【解決手段】相互搬送の各種情報がテキストデータで設定されている送受部位ごとの搬送管理データを更新自在に記憶するとともに、ノード画像データが相互搬送に対応したリンク画像データで連結された搬送画像データを更新自在に記憶する。作業者は搬送管理データを一覧表示させて自在に編集操作することができ、搬送画像データを画像表示させて自在に編集操作することもできる。ただし、作業者が搬送管理データを編集操作すると、これに対応して搬送管理システムが搬送画像データを自動編集し、作業者が搬送画像データを編集操作すると、これに対応して搬送管理システムが搬送管理データを自動編集する。【選択図】　図１
2004076835.tif 000002
【特許請求の範囲】
【請求項１】
各種の送受部位での各種の搬送対象の相互搬送をデータ管理する搬送管理システムであって、
各種データを表示出力する画像表示デバイスと、
各種データが入力操作される入力操作デバイスと、
前記相互搬送の各種情報がテキストデータで設定されている前記送受部位ごとの搬送管理データを更新自在に記憶する管理記憶手段と、
前記送受部位ごとのノード画像データを記憶しているノード記憶手段と、
前記ノード画像データが前記相互搬送に対応したリンク画像データで連結された搬送画像データを更新自在に記憶する画像記憶手段と、
前記搬送管理データを前記画像表示デバイスに一覧表示させて前記入力操作デバイスによる編集操作を受け付ける管理操作手段と、
前記搬送画像データを前記画像表示デバイスに画像表示させて前記入力操作デバイスによる編集操作を受け付ける画像操作手段と、
前記管理操作手段での前記搬送管理データの編集操作に対応して前記画像記憶手段に記憶されている前記搬送画像データを自動編集する画像処理手段と、
前記画像操作手段での前記搬送画像データの編集操作に対応して前記管理記憶手段に記憶されている前記搬送管理データを自動編集する管理処理手段と、
を有している搬送管理システム。
【請求項２】
各種の送受部位での各種の搬送対象の相互搬送をデータ管理する搬送管理システムであって、
各種データを表示出力する画像表示デバイスと、
各種データが入力操作される入力操作デバイスと、
前記相互搬送の各種情報がテキストデータで設定されている前記送受部位ごとの搬送管理データを更新自在に記憶する管理記憶手段と、
前記送受部位ごとのノード画像データを記憶しているノード記憶手段と、
前記ノード画像データが前記相互搬送に対応したリンク画像データで連結された搬送画像データを更新自在に記憶する画像記憶手段と、
前記搬送管理データを前記画像表示デバイスに一覧表示させて前記入力操作デバイスによる編集操作を受け付ける管理操作手段と、
前記管理操作手段での前記搬送管理データの編集操作に対応して前記画像記憶手段に記憶されている前記搬送画像データを自動編集する画像処理手段と、
を有している搬送管理システム。
【請求項３】
各種の送受部位での各種の搬送対象の相互搬送をデータ管理する搬送管理システムであって、
各種データを表示出力する画像表示デバイスと、
各種データが入力操作される入力操作デバイスと、
前記相互搬送の各種情報がテキストデータで設定されている前記送受部位ごとの搬送管理データを更新自在に記憶する管理記憶手段と、
前記送受部位ごとのノード画像データを記憶しているノード記憶手段と、
前記ノード画像データが前記相互搬送に対応したリンク画像データで連結された搬送画像データを更新自在に記憶する画像記憶手段と、
前記搬送画像データを前記画像表示デバイスに画像表示させて前記入力操作デバイスによる編集操作を受け付ける画像操作手段と、
前記画像操作手段での前記搬送画像データの編集操作に対応して前記管理記憶手段に記憶されている前記搬送管理データを自動編集する管理処理手段と、
を有している搬送管理システム。
【請求項４】
各種データを表示出力する画像表示デバイスと、各種データが入力操作される入力操作デバイスと、を有しており、各種の送受部位での各種の搬送対象の相互搬送をデータ管理する搬送管理システムのデータ処理方法であって、
前記相互搬送の各種情報がテキストデータで設定されている前記送受部位ごとの搬送管理データを更新自在に記憶する管理記憶工程と、
前記送受部位ごとのノード画像データを記憶しているノード記憶工程と、
前記ノード画像データが前記相互搬送に対応したリンク画像データで連結された搬送画像データを更新自在に記憶する画像記憶工程と、
前記搬送管理データを前記画像表示デバイスに一覧表示させて前記入力操作デバイスによる編集操作を受け付ける管理操作工程と、
前記搬送画像データを前記画像表示デバイスに画像表示させて前記入力操作デバイスによる編集操作を受け付ける画像操作工程と、
前記管理操作工程での前記搬送管理データの編集操作に対応して前記画像記憶工程に記憶されている前記搬送画像データを自動編集する画像処理工程と、
前記画像操作工程での前記搬送画像データの編集操作に対応して前記管理記憶工程に記憶されている前記搬送管理データを自動編集する管理処理工程と、
を有しているデータ処理方法。
【請求項５】
各種データを表示出力する画像表示デバイスと、各種データが入力操作される入力操作デバイスと、を有している搬送管理システムのためのコンピュータプログラムであり、各種の送受部位での各種の搬送対象の相互搬送を前記搬送管理システムにデータ管理させるためのコンピュータプログラムであって、
前記相互搬送の各種情報がテキストデータで設定されている前記送受部位ごとの搬送管理データを更新自在に記憶する管理記憶処理と、
前記送受部位ごとのノード画像データを記憶しているノード記憶処理と、
前記ノード画像データが前記相互搬送に対応したリンク画像データで連結された搬送画像データを更新自在に記憶する画像記憶処理と、
前記搬送管理データを前記画像表示デバイスに一覧表示させて前記入力操作デバイスによる編集操作を受け付ける管理操作処理と、
前記搬送画像データを前記画像表示デバイスに画像表示させて前記入力操作デバイスによる編集操作を受け付ける画像操作処理と、
前記管理操作処理での前記搬送管理データの編集操作に対応して前記画像記憶処理に記憶されている前記搬送画像データを自動編集する画像処理処理と、
前記画像操作処理での前記搬送画像データの編集操作に対応して前記管理記憶処理に記憶されている前記搬送管理データを自動編集する管理処理処理と、
を前記搬送管理システムに実行させるコンピュータプログラム。
【請求項６】
各種データを表示出力する画像表示デバイスと、各種データが入力操作される入力操作デバイスと、を有しており、各種の送受部位での各種の搬送対象の相互搬送をデータ管理する搬送管理システムにコンピュータプログラムを提供するための情報記憶媒体であって、
請求項５に記載のコンピュータプログラムが格納されている情報記憶媒体。
【発明の詳細な説明】
【０００１】
【発明の属する技術分野】
本発明は、搬送対象を搬送する搬送管理システムに関し、特に、３つ以上の送受部位の少なくとも１つから１つへの搬送経路を可変自在に形成する搬送管理システムに関する。
【０００２】
【従来の技術】
現在、１つの送受部位から１つの送受部位に搬送対象を搬送するため、各種の搬送管理システムが実施されている。例えば、複数種類の液体燃料を複数の燃料タンクや処理装置で相互搬送する製油所の搬送管理システムは、一般的に送受部位ごとの搬送管理データに相互搬送の各種情報をテキストデータで設定している。
【０００３】
例えば、燃料タンクＡから処理装置Ｂに液体燃料ａを搬送する場合、その燃料タンクＡの搬送管理データには、液体燃料ａを処理装置Ｂに搬送することがデータ設定され、処理装置Ｂの搬送管理データには、液体燃料ａが燃料タンクＡから搬送されることがデータ設定される。
【０００４】
このような搬送管理データは画像表示デバイスにテキストデータで一覧表示されるので、この表示画面により作業者は燃料タンクＡから処理装置Ｂに液体燃料ａが搬送されることを確認することができる。このように一覧表示された搬送管理データは、キーボードなどの入力操作デバイスにより編集操作できるので、これで作業者は所望により搬送管理データを編集することができる。
【０００５】
【発明が解決しようとする課題】
しかし、大規模な製油所などでは、燃料タンクや処理装置などの送受部位の個数が膨大であり、そこで相互搬送される液体燃料などの搬送対象の種類も膨大であり、複数の送受部位での搬送対象の相互搬送は動作モードなどによっても変化する。
【０００６】
このため、大規模な製油所などでは前述の搬送管理データの設定内容が極度に複雑となり、テキストデータからなる搬送管理データの一覧表示では作業者が複数の送受部位での搬送関係などを直感的に認識することが困難である。従って、一覧表示された搬送管理データを編集操作することが困難であり、適切でない編集操作により搬送管理データの設定内容が整合しなくなることもある。
【０００７】
本発明は上述のような課題に鑑みてなされたものであり、送受部位や搬送対象の個数が膨大でも相互搬送の状況などを直感的に容易に認識することができ、その搬送管理データを簡単かつ確実に編集操作することができる搬送管理システムを提供することを目的とする。
【０００８】
【課題を解決するための手段】
本発明の搬送管理システムは、画像表示デバイス、入力操作デバイス、管理記憶手段、ノード記憶手段、画像記憶手段、管理操作手段、画像操作手段、画像処理手段、管理処理手段、を有しており、各種の送受部位での各種の搬送対象の相互搬送をデータ管理する。
【０００９】
画像表示デバイスは、各種データを表示出力し、入力操作デバイスは、各種データが入力操作される。管理記憶手段は、相互搬送の各種情報がテキストデータで設定されている送受部位ごとの搬送管理データを更新自在に記憶し、ノード記憶手段は、送受部位ごとのノード画像データを記憶しており、画像記憶手段は、ノード画像データが相互搬送に対応したリンク画像データで連結された搬送画像データを更新自在に記憶する。管理操作手段は、搬送管理データを画像表示デバイスに一覧表示させて入力操作デバイスによる編集操作を受け付け、画像操作手段は、搬送画像データを画像表示デバイスに画像表示させて入力操作デバイスによる編集操作を受け付ける。画像処理手段は、管理操作手段での搬送管理データの編集操作に対応して画像記憶手段に記憶されている搬送画像データを自動編集し、管理処理手段は、画像操作手段での搬送画像データの編集操作に対応して管理記憶手段に記憶されている搬送管理データを自動編集する。
【００１０】
従って、本発明の搬送管理システムでは、作業者は搬送管理データを一覧表示させて自在に編集操作することができ、搬送画像データを画像表示させて自在に編集操作することもできる。ただし、作業者が搬送管理データを編集操作すると、これに対応して搬送管理システムが搬送画像データを自動編集し、作業者が搬送画像データを編集操作すると、これに対応して搬送管理システムが搬送管理データを自動編集する。このため、設定内容の直感的な認識が困難な搬送管理データから直感的に認識が容易な搬送画像データが自動的に生成され、詳細な内容設定が困難な搬送画像データから詳細な内容設定が容易な搬送管理データが自動的に生成される。
【００１１】
なお、本発明で云う搬送対象とは、搬送の対象となるものを意味しており、例えば、液体燃料、液化ガス、郵便物、等であることが可能である。また、送受部位とは、搬送対象の給送と受給との少なくとも一方を実行する部位を意味しており、例えば、液体燃料を一時保持する燃料タンク、液体燃料に所定処理を実行する処理装置、等であることが可能である。
【００１２】
また、本発明で云う各種手段は、その機能を実現するように形成されていれば良く、例えば、所定の機能を発揮する専用のハードウェア、所定の機能がコンピュータプログラムにより付与されたデータ処理装置、コンピュータプログラムによりデータ処理装置に実現された所定の機能、これらの組み合わせ、等として実現することができる。
【００１３】
また、本発明で云う各種手段は、個々に独立した存在である必要もなく、複数の手段が１個の部材として形成されていること、ある手段が他の手段の一部であること、ある手段の一部と他の手段の一部とが重複していること、等も可能である。
【００１４】
また、本発明で云うデータ処理装置とは、コンピュータプログラムを読み取って対応する処理動作を実行できるハードウェアであれば良く、例えば、ＣＰＵ（Ｃｅｎｔｒａｌ　Ｐｒｏｃｅｓｓｉｎｇ　Ｕｎｉｔ）を主体として、これに、ＲＯＭ（Ｒｅａｄ　Ｏｎｌｙ　Ｍｅｍｏｒｙ）、ＲＡＭ（Ｒａｎｄｏｍ　Ａｃｃｅｓｓ　Ｍｅｍｏｒｙ）、Ｉ／Ｆ（Ｉｎｔｅｒｆａｃｅ）ユニット、等の各種デバイスが接続されたハードウェアなどで良い。
【００１５】
なお、本発明でコンピュータプログラムに対応した各種動作をデータ処理装置に実行させることは、各種デバイスをデータ処理装置に動作制御させることなども意味している。例えば、データ処理装置に各種データを記憶させることは、データ処理装置に固定されているＲＡＭ等の情報記憶媒体にＣＰＵが各種データを格納すること、データ処理装置に交換自在に装填されているＦＤ（Ｆｌｅｘｉｂｌｅ　Ｄｉｓｃ−ｃａｒｔｒｉｄｇｅ）等の情報記憶媒体にＣＰＵがＦＤＤ（ＦＤ　Ｄｒｉｖｅ）で各種データを格納すること、等で良い。
【００１６】
また、本発明で云う情報記憶媒体とは、データ処理装置に各種処理を実行させるためのコンピュータプログラムが事前に格納されたハードウェアであれば良く、例えば、データ処理装置を一部とする装置に固定されているＲＯＭおよびＨＤＤ（Ｈａｒｄ　Ｄｉｓｃ　Ｄｒｉｖｅ）、データ処理装置を一部とする装置に交換自在に装填されるＣＤ（Ｃｏｍｐａｃｔ　Ｄｉｓｃ）−ＲＯＭおよびＦＤ、等で実施することが可能である。
【００１７】
【発明の実施の形態】
［実施の形態の構成］
本発明の実施の形態の搬送管理システム１００は、図２に示すように、コンピュータの主体となるハードウェアとしてＣＰＵ１０１を有しており、このＣＰＵ１０１には、バスライン１０２により、ＲＯＭ１０３、ＲＡＭ１０４、ＨＤＤ１０５、ＦＤ１０６が交換自在に装填されるＦＤＤ１０７、ＣＤ−ＲＯＭ１０８が交換自在に装填されるＣＤドライブ１０９、入力操作デバイスの一つであるキーボード１１０、入力操作デバイスの一つであるマウス１１１、画像表示デバイスであるディスプレイユニット１１２、Ｉ／Ｆユニット１１３、等のハードウェアが接続されている。
【００１８】
本実施の形態の搬送管理システム１００では、ＲＯＭ１０３、ＲＡＭ１０４、ＨＤＤ１０５、交換自在なＦＤ１０６、交換自在なＣＤ−ＲＯＭ１０８、等のハードウェアが情報記憶媒体に相当し、これらの少なくとも一個にＣＰＵ１０１のためのコンピュータプログラムおよびリソースがソフトウェアとして格納されている。
【００１９】
このようなソフトウェアは搬送管理システム１００に事前にインストールされており、搬送管理システム１００の起動時にＣＰＵ１０１にデータ読取される。このようにＣＰＵ１０１が適正なコンピュータプログラムをデータ読取して各種処理を実行することにより、本実施の形態の搬送管理システム１００は、図１に示すように、管理記憶手段１１、ノード記憶手段１２、画像記憶手段１３、管理操作手段１４、画像操作手段１５、画像処理手段１６、管理処理手段１７、等の各種手段を各種機能として論理的に有している。
【００２０】
管理記憶手段１１は、ＲＡＭ１０４に格納されているコンピュータプログラムに対応してＣＰＵ１０１が認識するようにＨＤＤ１０５に構築された記憶エリアなどに相当し、相互搬送の各種情報がテキストデータで設定されている送受部位ごとの搬送管理データを更新自在に記憶する。
【００２１】
より具体的には、本形態の搬送管理システム１００は、製油所に散在する多数の送受部位である燃料タンクや処理装置での、搬送対象である液体燃料の相互搬送をデータ管理することに利用される。このため、図３に示すように、搬送管理データは、燃料タンクや処理装置などの送受部位ごとにデータ登録されており、そこには、搬入元および搬出先の送受部位の識別名称、搬入および搬出する液体燃料の識別名称、運転モードの識別番号、等の相互搬送の各種情報がテキストデータでデータ設定されている。
【００２２】
ノード記憶手段１２および画像記憶手段１３も、ＣＰＵ１０１がコンピュータプログラムに対応して認識するＨＤＤ１０５の記憶エリアなどに相当し、ノード記憶手段１２は、送受部位ごとのノード画像データ２１を記憶しており、画像記憶手段１３は、ノード画像データ２１が相互搬送に対応したリンク画像データ２２で連結された搬送画像データ２０を更新自在に記憶する。
【００２３】
より具体的には、図４に示すように、ノード画像データ２１は、例えば、ディスプレイユニット１１２に表示されるオブジェクトデータとして生成されており、図面の左側下方に示すように、表示画面の所定位置に複数の種別ごとに一覧表示される。
【００２４】
このように一覧表示されたノード画像データ２１は、例えば、マウス１１１のドラッグ操作により所望のコピーを表示画面の所望の位置に配置することができ、このように配置したノード画像データ２１には、キーボード１１０の操作により燃料タンクや処理装置の識別名称をテキストデータで設定することができる。
【００２５】
リンク画像データ２２は、一対のノード画像データ２１を連結するもので、例えば、マウス１１１の操作により設定され、キーボード１１０の操作により搬送対象の識別名称がテキストデータで設定される。このため、搬送画像データ２０は、複数の送受部位での搬送対象の相互搬送の関係を、複数のノード画像データ２１をリンク画像データ２２で連結したものとして、ディスプレイユニット１１２に画像表示される。
【００２６】
管理操作手段１４は、ＣＰＵ１０１がコンピュータプログラムに対応して所定の処理動作を実行する機能などに相当し、搬送管理データをディスプレイユニット１１２に一覧表示させてキーボード１１０およびマウス１１１による編集操作を受け付ける。
【００２７】
例えば、図３はディスプレイユニット１１２の表示画面に搬送管理データが一覧表示された状態を図示しており、マウス１１１の手動操作で所望の項目を選択してキーボード１１１の手動操作で所望のテキストデータを設定することができる。
【００２８】
以下同様にＣＰＵ１０１の所定機能などに相当し、画像操作手段１５は、搬送画像データ２０をディスプレイユニット１１２に画像表示させてキーボード１１０およびマウス１１１による編集操作を受け付ける。例えば、図４はディスプレイユニット１１２の表示画面に搬送画像データ２０が画像表示された状態を図示しており、マウス１１１の手動操作でノード画像データ２１を所望の位置に配置してリンク画像データ２２で連結し、そこにキーボード１１０の手動操作で所望のテキストデータを設定することができる。
【００２９】
画像処理手段１６は、管理操作手段１４での搬送管理データの編集操作に対応して画像記憶手段１３に記憶されている搬送画像データ２０を自動編集し、管理処理手段１７は、画像操作手段１５での搬送画像データ２０の編集操作に対応して管理記憶手段１１に記憶されている搬送管理データを自動編集する。
【００３０】
例えば、図３および図４は設定内容が整合している搬送管理データおよび搬送画像データ２０を図示しており、前述のように一方がキーボード１１０やマウス１１１の手動操作に対応してＣＰＵ１０１で編集処理されると、これに対応して他方がＣＰＵ１０１により自動的に編集処理される。
【００３１】
上述のようなデータ処理装置２０の各種手段は、必要によりＨＤＤ１０５やＩ／Ｆユニット１１３等のハードウェアを利用して実現されるが、その主体はＲＡＭ１０４等の情報記憶媒体に格納されたコンピュータプログラムに対応してハードウェアであるＣＰＵ１０１が機能することにより実現されている。
【００３２】
このようなコンピュータプログラムは、例えば、相互搬送の各種情報がテキストデータで設定されている送受部位ごとの搬送管理データをＨＤＤ１０５などに更新自在に記憶させる処理、送受部位ごとのノード画像データ２１をＨＤＤ１０５などに記憶させておく処理、ノード画像データ２１が相互搬送に対応したリンク画像データ２２で連結された搬送画像データ２０を更新自在にＨＤＤ１０５などに記憶させる処理、搬送管理データをディスプレイユニット１１２に一覧表示させてキーボード１１０およびマウス１１１による編集操作を受け付ける処理、搬送画像データ２０をディスプレイユニット１１２に画像表示させてキーボード１１０およびマウス１１１による編集操作を受け付ける処理、搬送管理データの編集操作に対応して記憶されている搬送画像データ２０を自動編集する処理、搬送画像データ２０の編集操作に対応して記憶されている搬送管理データを自動編集する処理、等の処理動作をＣＰＵ１０１等に実行させるためのソフトウェアとしてＲＡＭ１０４等の情報記憶媒体に格納されている。
【００３３】
［実施の形態の動作］
上述のような構成において、本形態の搬送管理システム１００は、ディスプレイユニット１１２に一覧表示されるテキストデータからなる搬送管理データと、ディスプレイユニット１１２に画像表示される搬送画像データ２０と、を整合させてデータ管理することにより、製油所に散在する多数の送受部位である燃料タンクや処理装置での搬送対象である液体燃料の相互搬送をデータ管理する。
【００３４】
より具体的には、本形態の搬送管理システム１００にキーボード１１０などで所定操作を実行すると、図６および図７に示すように、搬送画像データ２０か搬送管理データかを編集操作できる状態となる（ステップＳ１，Ｓ１０）。例えば、作業者が所定操作により搬送画像データ２０の編集操作を選択すると（ステップＳ１）、その編集画面がディスプレイユニット１１２に表示出力される（ステップＳ２）。
【００３５】
この編集画面では、ディスプレイユニット１１２には複数種類のノード画像データ２１が一覧表示されるので、作業者はマウス１１１の手動操作などにより所望のノード画像データ２１のコピーを表示画面の所望の位置に配置することができる。
【００３６】
さらに、作業者はマウス１１１の手動操作などにより複数のノード画像データ２１をリンク画像データ２２で連結することもでき、キーボード１１０の手動操作などによりノード画像データ２１やリンク画像データ２２に送受位置や搬送対象の識別名称をテキストデータで設定することもできる。
【００３７】
このような編集操作を実行することにより（ステップＳ５，Ｓ６）、図４に示すように、複数のノード画像データ２１がリンク画像データ２２で連結された搬送画像データ２０がデータ生成されるので、例えば、この搬送画像データ２０を搬送管理システム１００にデータ登録することができる（ステップＳ７，Ｓ８）。
【００３８】
また、前述のように搬送画像データ２０の編集画面が表示出力された状態で（ステップＳ２）、予めデータ登録されている搬送画像データ２０を読み出して画像表示させることもでき（ステップＳ３，Ｓ４）、このように画像表示させた搬送画像データ２０を編集操作することもできる（ステップＳ５，Ｓ６）。
【００３９】
そして、上述のように編集操作した搬送画像データ２０が搬送管理システム１００にデータ登録されると（ステップＳ７，Ｓ８）、この搬送管理システム１００は、搬送画像データ２０の設定内容を解析し、図３に示すように、対応する設定内容に搬送管理データを編集処理する（ステップＳ９）。
【００４０】
例えば、上述のように搬送画像データ２０が新規にデータ生成された場合は、これに対応した新規の搬送管理データが自動的にデータ生成され、予め登録されている搬送画像データ２０が編集操作された場合は、これに対応して予め登録されている搬送管理データが自動編集される。
【００４１】
一方、図７に示すように、搬送管理システム１００の初期状態から作業者が所定操作により搬送管理データの編集操作を選択すると（ステップＳ１０）、その編集画面がディスプレイユニット１１２に表示出力される（ステップＳ１１）。この編集画面では、ディスプレイユニット１１２には予めデータ設定されたフォーマットでテーブル画像が画像表示されるので、作業者はマウス１１１の手動操作などにより所望の項目を選択してキーボード１１０の手動操作により送受位置や搬送対象の識別名称をテキストデータで設定することができる。
【００４２】
このような編集操作を実行することにより（ステップＳ１４，Ｓ１５）、図３に示すように、送受部位ごとに相互搬送の各種情報がデータ設定された搬送管理データが生成されるので、例えば、この搬送管理データを搬送管理システム１００にデータ登録することができる（ステップＳ１６，Ｓ１７）。
【００４３】
また、前述のように搬送管理データの編集画面が表示出力された状態で（ステップＳ１１）、予めデータ登録されている搬送管理データを読み出して画像表示させることもでき（ステップＳ１２，Ｓ１３）、このように画像表示させた搬送管理データを編集操作することもできる（ステップＳ１４，Ｓ１５）。
【００４４】
そして、上述のように編集操作した搬送管理データが搬送管理システム１００にデータ登録されると（ステップＳ１６，Ｓ１７）、この搬送管理システム１００は、搬送管理データの設定内容を解析し、図３に示すように、対応する設定内容に搬送画像データ２０を編集処理する（ステップＳ１８）。
【００４５】
例えば、上述のように搬送管理データが新規にデータ生成された場合は、これに対応した新規の搬送画像データ２０が自動的にデータ生成され、予め登録されている搬送管理データが編集操作された場合は、これに対応して予め登録されている搬送画像データ２０が自動編集される。
【００４６】
なお、本形態の搬送管理システム１００では、図３および図４に示すように、処理装置Ｄの搬送管理データおよび搬送画像データ２０を新規に生成した場合、そこには燃料タンクＡ〜Ｃ，Ｄおよび処理装置Ｆとの相互搬送がデータ設定されている。
【００４７】
このため、例えば、燃料タンクＡの搬送管理データまたは搬送画像データ（図示せず）を新規に生成するときには、その編集画面には処理装置Ｄとの相互搬送がデータ設定された状態が自動的に表示されるので、この状態から作業者は燃料タンクＡの搬送管理データまたは搬送画像データの編集操作を開始することになる。また、この燃料タンクＡの搬送管理データおよび搬送画像データの編集操作で処理装置Ｄとの相互搬送の設定内容を変更すると、これに対応して処理装置Ｄの搬送管理データおよび搬送画像データも自動編集される。
【００４８】
さらに、本形態の搬送管理システム１００では、複数の送受部位の１個ごとに搬送管理データおよび搬送画像データ２０をデータ生成することができるが、例えば、その送受部位が複数の運転モードを有する場合、図３および図５に示すように、その複数の運転モードを搬送管理データおよび搬送画像データ２０にデータ設定することが可能である。ただし、図４および図５の搬送画像データ２０は基本的に同一のものなので、その表示モードを切り換えることにより図４および図５の表示状態とすることができる。
【００４９】
本形態の搬送管理システム１００では、例えば、図４の搬送画像データ２０を手動操作で新規に作成することで対応する搬送管理データを自動生成させ、図３に示すように、その搬送管理データに運転モードをデータ設定することで、図５の搬送画像データ２０を自動生成させるようなことができる。
【００５０】
［実施の形態の効果］
本実施の形態の搬送管理システム１００では、上述のように作業者は搬送管理データを一覧表示させて自在に編集操作することができ、搬送画像データ２０を画像表示させて自在に編集操作することもできる。ただし、作業者が搬送管理データを編集操作すると、これに対応して搬送管理システム１００が搬送画像データ２０を自動編集し、作業者が搬送画像データ２０を編集操作すると、これに対応して搬送管理システム１００が搬送管理データを自動編集する。
【００５１】
このため、設定内容の直感的な認識が困難な搬送管理データから直感的に認識が容易な搬送画像データ２０が自動的に生成され、詳細な内容設定が困難な搬送画像データ２０から詳細な内容設定が容易な搬送管理データが自動的に生成される。
【００５２】
従って、本形態の搬送管理システム１００では、作業者は多数の送受部位での相互搬送を搬送画像データ２０により容易に認識して的確に編集操作することができ、それでいて、多数の送受部位での相互搬送を搬送管理データにより詳細に設定して管理することもできる。
【００５３】
さらに、搬送管理データと搬送画像データ２０との一方の編集操作に対応して他方の設定内容が自動的に整合されるので、適切でない編集操作により搬送管理データや搬送画像データ２０の設定内容が整合しなくなるようなことも防止できる。
【００５４】
［実施の形態の変形例］
本発明は上記形態に限定されるものではなく、その要旨を逸脱しない範囲で各種の変形を許容する。例えば、上記形態では製油所で燃料タンクや処理装置が液体燃料を相互搬送することを搬送管理システム１００がデータ管理することを例示したが、組立工場の複数の作業現場で組立部品を相互搬送することをデータ管理するようなことも可能である。
【００５５】
また、上記形態では搬送管理システム１００が複数の送受部位での搬送対象の相互搬送をデータ管理することのみ例示したが、例えば、搬送管理システム１００が搬送管理データに対応して製油所の配管の切換装置や給送ポンプなどを実際に動作制御することにより、複数の送受部位での搬送対象の相互搬送を動作制御することも可能である。
【００５６】
さらに、上記形態では搬送管理システム１００が搬送管理データの編集操作に対応して搬送画像データ２０を自動編集するとともに、搬送画像データ２０の編集操作に対応して搬送管理データを自動編集することを例示したが、例えば、これらの一方のみ実行することも可能である。
【００５７】
また、上記形態では１個の送受部位の搬送画像データ２０のみを画像表示する場合を例示したが、例えば、複数の送受部位の搬送画像データをデータ登録した状態で、これらを連結した複数の送受部位の１個の搬送画像データを画像表示することも可能である（図示せず）。
【００５８】
さらに、上記形態では制約なく搬送画像データ２０をデータ生成できることを例示したが、実際の製油所では、例えば、燃料タンクＡは液体燃料ｂを処理装置Ｄには搬出できるが処理装置Ｆには搬出できないなど、相互搬送が可能な送受部位の条件は限定されている。
【００５９】
そこで、上述のような相互搬送の条件を予め設定しておくことにより、前述のように送受部位の搬送管理データや搬送画像データ２０を編集操作するときに、その搬入元や搬出先の送受部位の候補を自動的に表示させて選択させることができる。
【００６０】
さらに、上記形態ではＲＡＭ１０４等に格納されているコンピュータプログラムに対応してＣＰＵ１０１が動作することにより、搬送管理システム１００の各種機能として各種手段が論理的に実現されることを例示した。しかし、このような各種手段の各々を固有のハードウェアとして形成することも可能であり、一部をソフトウェアとしてＲＡＭ１０４等に格納するとともに一部をハードウェアとして形成することも可能である。
【００６１】
【発明の効果】
本発明の搬送管理システムでは、作業者が搬送管理データを編集操作すると、これに対応して搬送管理システムが搬送画像データを自動編集し、作業者が搬送画像データを編集操作すると、これに対応して搬送管理システムが搬送管理データを自動編集することにより、設定内容の直感的な認識が困難な搬送管理データから直感的に認識が容易な搬送画像データが自動的に生成され、詳細な内容設定が困難な搬送画像データから詳細な内容設定が容易な搬送管理データが自動的に生成されるので、作業者は多数の送受部位での相互搬送を搬送画像データにより容易に認識して的確に編集操作することができ、それでいて、多数の送受部位での相互搬送を搬送管理データにより詳細に設定して管理することもできるので、搬送管理データと搬送画像データとの一方の編集操作に対応して他方の設定内容が自動的に整合されるので、適切でない編集操作により搬送管理データや搬送画像データの設定内容が整合しなくなるようなことも防止できる。
【図面の簡単な説明】
【図１】本発明の実施の形態の搬送管理システムの論理構造を示す模式図である。
【図２】搬送管理システムの物理構造を示すブロック図である。
【図３】搬送管理データが一覧表示された状態を示す模式的な正面図である。
【図４】搬送画像データが画像表示された状態を示す模式的な正面図である。
【図５】搬送画像データの表示形態を変更した状態を示す模式的な正面図である。
【図６】搬送管理システムのデータ処理方法の前半部分を示すフローチャートである。
【図７】データ処理方法の後半部分を示すフローチャートである。
【符号の説明】
１１　　管理記憶手段
１２　　ノード記憶手段
１３　　画像記憶手段
１４　　管理操作手段
１５　　画像操作手段
１６　　画像処理手段
１７　　管理処理手段
１００　　搬送管理システム
１０１　　コンピュータの主体であるＣＰＵ
１０３　　情報記憶媒体であるＲＯＭ
１０４　　情報記憶媒体であるＲＡＭ
１０５　　情報記憶媒体であるＨＤＤ
１０６　　情報記憶媒体であるＦＤ
１０８　　情報記憶媒体であるＣＤ−ＲＯＭ
１１０　　入力操作デバイスの一つであるキーボード
１１１　　入力操作デバイスの一つであるマウス
１１２　　画像表示デバイスであるディスプレイユニット
【図１】
2004076835.tif 000003
【図２】
2004076835.tif 000004
【図３】
2004076835.tif 000005
【図４】
2004076835.tif 000006
【図５】
2004076835.tif 000007
【図６】
2004076835.tif 000008
【図７】
2004076835.tif 000009